(57)【特許請求の範囲】
【請求項１】
ワイヤレス通信のための方法であって、前記方法は、スペクトルコントローラが実行し、前記方法は、
少なくとも１つの第２のティアシステムによる使用のために利用可能な第２のティアスペクトルリソースを決定するために、未使用の第１のティアスペクトルリソースのインジケーションを、少なくとも１つの第１のティアシステムから受信することと、
前記少なくとも１つの第２のティアシステムに前記第２のティアスペクトルリソースを割り振ることと、
前記第２のティアスペクトルリソースを割り振った後に前記少なくとも１つの第２のティアシステムから、前記割り振られた第２のティアスペクトルリソースから決定された未使用の第２のティアスペクトルリソースのインジケーションを受信することと、
前記未使用の第２のティアスペクトルリソースに少なくとも部分的に基づいて、少なくとも１つの第３のティアシステムによる使用のために利用可能な第３のティアスペクトルリソースを決定することと、
前記少なくとも１つの第３のティアシステムに前記第３のティアスペクトルリソースを割り振ることと
を備える方法。
【請求項２】
前記第３のティアスペクトルリソースを割り振った後に、前記割り振られた第３のティアスペクトルリソースから決定された未使用の第３のティアスペクトルリソースのインジケーションを、前記少なくとも１つの第３のティアシステムから受信することをさらに備える、請求項１に記載の方法。
【請求項３】
第１のティアスペクトルは、インカンベントシステムのために指定され、
第２のティアスペクトルは、優先アクセスシステムのために指定され、
第３のティアスペクトルは、一般アクセスシステムのために指定される、請求項１に記載の方法。
【請求項４】
第１のティアスペクトルリソース、前記割り振られた第２のティアスペクトルリソース、またはこれらの組み合わせのうちの少なくとも１つの変更された使用に対して利用可能な第３のティアスペクトルリソースの量を更新することをさらに備える、請求項１に記載の方法。
【請求項５】
第２のティアスペクトルは、第１のティアスペクトルから隠された予約済みスペクトルリソースを備える、請求項１に記載の方法。
【請求項６】
第２のティアスペクトルは、第３のティアスペクトルから隠された予約済みスペクトルリソースを備える、請求項１に記載の方法。
【請求項７】
前記少なくとも１つの第２のティアシステムによって使用される前記第２のティアスペクトルリソースを決定するために、前記少なくとも１つの第２のティアシステムからスペクトル情報を受信することをさらに備える、請求項１に記載の方法。
【請求項８】
需要、通信ニーズに少なくとも部分的に基づいて、前記少なくとも１つの第３のティアシステム間、前記少なくとも１つの第２のティアシステム間、前記少なくとも１つの第１のティアシステム間、それぞれでスペクトルリソースを割り振ることをさらに備える、請求項１に記載の方法。
【請求項９】
前記スペクトルリソースを割り振ることは、各システム間のリソースの境界または動的割振りに少なくとも部分的に基づく、請求項８に記載の方法。
【請求項１０】
前記第２のティアスペクトルリソースまたは前記第３のティアスペクトルリソースを決定することは、さらに無線測定値に少なくとも部分的に基づいて決定される、請求項１に記載の方法。
【請求項１１】
異なる無線特性が各ティア中のシステムに割り当てられ、特定のティアによって使用される特定のスペクトルリソースは、前記割り当てられた無線特性を使用している前記特定のスペクトルリソースの前記無線測定値に少なくとも部分的に基づいて識別される、請求項１０に記載の方法。
【請求項１２】
前記無線特性は、少なくとも、無線アクセス技術（ＲＡＴ）、キャリア周波数、送信帯域幅、前記特定のティアを識別する特定の波形またはシーケンス、あるいはこれらの組み合わせを備える、請求項１１に記載の方法。
【請求項１３】
ワイヤレス通信のためのスペクトルコントローラであって、
前記スペクトルコントローラは、
メモリと、
前記メモリに結合された少なくとも１つのプロセッサと、
を備え、
前記少なくとも１つのプロセッサは、
少なくとも１つの第２のティアシステムによる使用のために利用可能な第２のティアスペクトルリソースを前記スペクトルコントローラにより決定するために、未使用の第１のティアスペクトルリソースのインジケーションを、少なくとも１つの第１のティアシステムから受信することと、
前記少なくとも１つの第２のティアシステムに前記第２のティアスペクトルリソースを割り振ることと、
前記第２のティアスペクトルリソースを割り振った後に前記少なくとも１つの第２のティアシステムから、前記割り振られた第２のティアスペクトルリソースから決定された未使用の第２のティアスペクトルリソースのインジケーションを受信することと、
前記未使用の第２のティアスペクトルリソースに少なくとも部分的に基づいて、少なくとも１つの第３のティアシステムによる使用のために利用可能な第３のティアスペクトルリソースを決定することと、
前記少なくとも１つの第３のティアシステムに前記第３のティアスペクトルリソースを割り振ることと
を行うように構成された、スペクトルコントローラ。
【請求項１４】
前記少なくとも１つのプロセッサは、前記第３のティアスペクトルリソースを割り振った後に、前記割り振られた第３のティアスペクトルリソースから決定された未使用の第３のティアスペクトルリソースのインジケーションを、前記少なくとも１つの第３のティアシステムから受信するようにさらに構成された、請求項１３に記載のスペクトルコントローラ。
【請求項１５】
第１のティアスペクトルは、インカンベントシステムのために指定され、
第２のティアスペクトルは、優先アクセスシステムのために指定され、
第３のティアスペクトルは、一般アクセスシステムのために指定される、請求項１４に記載のスペクトルコントローラ。
【請求項１６】
前記少なくとも１つのプロセッサは、第１のティアスペクトルリソース、前記第２のティアスペクトルリソース、またはこれらの組み合わせのうちの少なくとも１つの変更された使用に対して利用可能な第３のティアスペクトルリソースの量を更新するようにさらに構成された、請求項１４に記載のスペクトルコントローラ。
【請求項１７】
第２のティアスペクトルは、第１のティアスペクトルから隠された予約済みスペクトルリソースを備える、請求項１３に記載のスペクトルコントローラ。
【請求項１８】
第２のティアスペクトルは、第３のティアスペクトルから隠された予約済みスペクトルリソースを備える、請求項１３に記載のスペクトルコントローラ。
【請求項１９】
前記少なくとも１つのプロセッサは、前記少なくとも１つの第２のティアシステムによって使用される前記第２のティアスペクトルリソースを決定するために、少なくとも１つの第２のティアシステムからスペクトル情報を受信するようにさらに構成された、請求項１３に記載のスペクトルコントローラ。
【請求項２０】
前記少なくとも１つのプロセッサは、需要、通信ニーズに少なくとも部分的に基づいて、前記少なくとも１つの第３のティアシステム間、前記少なくとも１つの第２のティアシステム間、前記少なくとも１つの第１のティアシステム間、それぞれでスペクトルリソースを割り振るようにさらに構成された、請求項１３に記載のスペクトルコントローラ。
【請求項２１】
前記スペクトルリソースを割り振ることは、各システム間のリソースの境界または動的割振りに少なくとも部分的に基づく、請求項２０に記載のスペクトルコントローラ。
【請求項２２】
前記第２のティアスペクトルリソースまたは前記第３のティアスペクトルリソースを決定することは、さらに無線測定値に少なくとも部分的に基づいて決定される、請求項１３に記載のスペクトルコントローラ。
【請求項２３】
異なる無線特性が各ティア中のシステムに割り当てられ、特定のティアによって使用される特定のスペクトルリソースは、前記割り当てられた無線特性を使用している前記特定のスペクトルリソースの前記無線測定値に少なくとも部分的に基づいて識別される、請求項２２に記載のスペクトルコントローラ。
【請求項２４】
前記無線特性は、無線アクセス技術（ＲＡＴ）、キャリア周波数、送信帯域幅、前記特定のティアを識別する特定の波形またはシーケンス、あるいはこれらの組み合わせのうちの少なくとも１つを備える、請求項２３に記載のスペクトルコントローラ。
【請求項２５】
ワイヤレス通信のためのスペクトルコントローラであって、
少なくとも１つの第２のティアシステムによる使用のために利用可能な第２のティアスペクトルリソースを前記スペクトルコントローラにより決定するために、未使用の第１のティアスペクトルリソースのインジケーションを、少なくとも１つの第１のティアシステムから受信するための手段と、
前記少なくとも１つの第２のティアシステムに前記第２のティアスペクトルリソースを割り振るための手段と、
前記第２のティアスペクトルリソースを割り振った後に前記少なくとも１つの第２のティアシステムから、前記割り振られた第２のティアスペクトルリソースから決定された未使用の第２のティアスペクトルリソースのインジケーションを受信するための手段と、
前記未使用の第２のティアスペクトルリソースに少なくとも部分的に基づいて、少なくとも１つの第３のティアシステムによる使用のために利用可能な第３のティアスペクトルリソースを決定するための手段と、
前記少なくとも１つの第３のティアシステムに前記第３のティアスペクトルリソースを割り振るための手段と
を備える装置。
【請求項２６】
ワイヤレス通信のための、その上に記憶されたプログラムコードを有する非一時的コンピュータ可読記憶媒体を備え、
前記プログラムコードは、スペクトルコントローラ中のプロセッサによって実行され、
少なくとも１つの第２のティアシステムによる使用のために利用可能な第２のティアスペクトルリソースを前記スペクトルコントローラにより決定するために、未使用の第１のティアスペクトルリソースのインジケーションを、少なくとも１つの第１のティアシステムから受信するためのプログラムコードと、
前記少なくとも１つの第２のティアシステムに前記第２のティアスペクトルリソースを割り振るためのプログラムコードと、
前記第２のティアスペクトルリソースを割り振った後に前記少なくとも１つの第２のティアシステムから、前記割り振られた第２のティアスペクトルリソースから決定された未使用の第２のティアスペクトルリソースのインジケーションを受信するためのプログラムコードと、
前記未使用の第２のティアスペクトルリソースに少なくとも部分的に基づいて、少なくとも１つの第３のティアシステムによる使用のために利用可能な第３のティアスペクトルリソースを決定するためのプログラムコードと、
前記少なくとも１つの第３のティアシステムに前記第３のティアスペクトルリソースを割り振るためのプログラムコードと
を備える、非一時的コンピュータ可読記憶媒体。
【発明の詳細な説明】
【技術分野】
【０００１】
関連出願の相互参照
[0001]本出願は、その開示全体が参照により本明細書に明確に組み込まれる、２０１４年２月７日に出願された「MULTI-TIERED SHARED ACCESS OPERATION」と題する米国仮特許出願第６１／９３７，３２９号の米国特許法第１１９条（ｅ）項に基づく利益を主張する。
【０００２】
[0002]本開示は、一般にワイヤレス通信システムに係わる。より詳細には、本開示は、マルチティア共有アクセス動作に関する。
【背景技術】
【０００３】
[0003]ワイヤレス通信システムは、音声、データ、ビデオなど、様々なタイプの通信コンテンツを提供するために広く展開されており、ロングタームエボリューション（ＬＴＥ（登録商標）：Long Term Evolution）システムなどの新しいデータ指向システムの導入とともに展開が広がる可能性がある。ワイヤレス通信システムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ）システム、および他の直交周波数分割多元接続（ＯＦＤＭＡ）システムがある。
【０００４】
[0004]一般に、ワイヤレス多元接続通信システムは、複数のワイヤレス端末（ユーザ機器（ＵＥ）、ユーザ端末、またはアクセス端末（ＡＴ）としても知られる）のための通信を同時にサポートすることができる。各端末は、順方向リンクおよび逆方向リンク上での送信を介して１つまたは複数の基地局（アクセスポイント（ＡＰ）、ＥノードＢ、またはｅＮＢとしても知られる）と通信する。順方向リンク（ダウンリンクまたはＤＬとも呼ばれる）は基地局から端末への通信リンクを指し、逆方向リンク（アップリンクまたはＵＬとも呼ばれる）は端末から基地局への通信リンクを指す。これらの通信リンクは、単入力単出力、単入力多出力、多入力単出力、または多入力多出力（ＭＩＭＯ）システムを介して確立され得る。
【０００５】
[0005]より新しい多元接続システム、たとえば、ＬＴＥは、より古い技術よりも速いデータスループットを与える。より速いダウンリンク速度は、モバイルデバイス上でまたはモバイルデバイスとともに使用する、高解像度グラフィックスおよびビデオなどのより高帯域幅のコンテンツに対するより大きい需要を引き起こしている。したがって、ワイヤレス通信システムの帯域幅に対する需要は、ワイヤレスインターフェースを介したより高いデータスループットの利用可能性にもかかわらず増加し続け、この傾向は続く可能性がある。しかしながら、ワイヤレススペクトルは、有限の規制されたリソースである。したがって、ワイヤレス通信において、この有限のリソースをより十分に利用し、消費者需要を満たすための新しい手法が必要とされる。
【発明の概要】
【０００６】
[0006]本開示の一態様では、ワイヤレス通信のための方法が開示される。この方法は、第２のティアシステムによる使用のために利用可能な第２のティアスペクトルリソースを決定するために、未使用の第１のティアスペクトルリソースのインジケーションを受信することを含む。この方法は、未使用の第２のティアスペクトルリソースに基づいて、第３のティアシステムによる使用のために利用可能な第３のティアスペクトルリソースを決定することをさらに含む。
【０００７】
[0007]本開示の別の態様は、第２のティアシステムによる使用のために利用可能な第２のティアスペクトルリソースを決定するために、未使用の第１のティアスペクトルリソースのインジケーションを受信するための手段を含む装置に関する。この装置は、未使用の第２のティアスペクトルリソースに基づいて、第３のティアシステムによる使用のために利用可能な第３のティアスペクトルリソースを決定するための手段をさらに含む。
【０００８】
[0008]本開示の別の態様では、ワイヤレスネットワークにおけるワイヤレス通信のためのコンピュータプログラム製品が開示される。本コンピュータプログラム製品は、非一時的プログラムコードが記録された非一時的コンピュータ可読媒体を有する。プログラムコードは、プロセッサによって実行され、第２のティアシステムによる使用のために利用可能な第２のティアスペクトルリソースを決定するために、未使用の第１のティアスペクトルリソースのインジケーションを受信するためのプログラムコードを含む。プログラムコードは、未使用の第２のティアスペクトルリソースに基づいて、第３のティアシステムによる使用のために利用可能な第３のティアスペクトルリソースを決定するためのプログラムコードをさらに含む。
【０００９】
[0009]本開示の別の態様は、メモリと、メモリに結合された１つまたは複数のプロセッサと、を有するワイヤレス通信のための装置に関する。（１つまたは複数の）プロセッサは、第２のティアシステムによる使用のために利用可能な第２のティアスペクトルリソースを決定するために、未使用の第１のティアスペクトルリソースのインジケーションを受信するように構成される。（１つまたは複数の）プロセッサは、未使用の第２のティアスペクトルリソースに基づいて、第３のティアシステムによる使用のために利用可能な第３のティアスペクトルリソースを決定するようにさらに構成される。
【００１０】
[0010]以下で、本開示のさらなる特徴および利点について説明する。本開示が本開示の同じ目的を実行するための他の構造を変更または設計するための基礎として容易に利用され得ることを、当業者は十分理解するべきである。そのような等価な構成が添付の特許請求の範囲に記載の本開示の教示から逸脱しないこともまた、当業者は明確に理解するべきである。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の境界を定めるものではないことを明確に理解されたい。
【００１１】
[0011]本開示は、添付の図面とともに与える以下の詳細な説明に関連してより十分に理解され得る。
【図面の簡単な説明】
【００１２】
【図１】ワイヤレス通信システムの詳細を示す図。
【図２】複数のセルを有するワイヤレス通信システムの詳細を示す図。
【図３】１つの１次システムと１つの２次システムとを含む異なるワイヤレス通信システムに結合された認可共有アクセス（ＡＳＡ）コントローラの態様を示すブロック図。
【図４】１つの１次システムと複数の２次システムとを含む異なるワイヤレス通信システムに結合されたＡＳＡコントローラの態様を示すブロック図。
【図５】ＡＳＡをサポートするための２次システム内の異なるワイヤレス通信システムおよび要素に結合されたＡＳＡコントローラの態様を示すブロック図。
【図６】本開示の態様によるマルチティアシステムを示すブロック図。
【図７】本開示の態様によるマルチティアシステムを示すブロック図。
【図８】マルチティアシステムにおいてリソースを管理するための方法のためのブロック図。
【図９】スペクトル処理システムを採用する装置のためのハードウェア実装形態の一例を示す図。
【発明を実施するための形態】
【００１３】
[0020]本開示は、一般に、ワイヤレス通信ネットワークとも呼ばれる、２つまたはそれ以上のワイヤレス通信システム間での認可共有アクセスを提供することまたは認可共有アクセスに参加することに関する。様々な実施形態では、技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥネットワーク、ＧＳＭ（登録商標）ネットワーク、ならびに他の通信ネットワークなど、ワイヤレス通信ネットワークのために使用され得る。本明細書で説明する「ネットワーク」および「システム」という用語は互換的に使用され得る。
【００１４】
[0021]ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（Ｗ−ＣＤＭＡ（登録商標））と低チップレート（ＬＣＲ）とを含む。ｃｄｍａ２０００は、ＩＳ−２０００、ＩＳ−９５、およびＩＳ−８５６規格をカバーする。
【００１５】
[0022]ＴＤＭＡネットワークは、モバイル通信用グローバルシステム（ＧＳＭ）などの無線技術を実装し得る。３ＧＰＰは、ＧＥＲＡＮとして示されることもあるＧＳＭ  ＥＤＧＥ（enhanced data rates for GSM evolution）無線アクセスネットワーク（ＲＡＮ）のための規格を定義する。ＧＥＲＡＮは、基地局（たとえば、ＡｔｅｒおよびＡｂｉｓインターフェース）と基地局コントローラ（Ａインターフェースなど）とを結合するネットワークとともにＧＳＭ／ＥＤＧＥの無線構成要素である。無線アクセスネットワークはＧＳＭネットワークの構成要素を表し、それを通して、通話およびパケットデータが公衆交換電話網（ＰＳＴＮ）およびインターネットからユーザ端末またはユーザ機器（ＵＥ）としても知られる加入者ハンドセットにルーティングされ、また加入者ハンドセットからＰＳＴＮおよびインターネットにルーティングされる。モバイルフォンオペレータのネットワークは、１つまたは複数のＧＥＲＡＮを備え得、それは、ＵＭＴＳ／ＧＳＭネットワークの場合、ＵＴＲＡＮに結合され得る。オペレータネットワークはまた、１つまたは複数のＬＴＥネットワーク、および／または１つまたは複数の他のネットワークを含み得る。様々な異なるネットワークタイプは、異なる無線アクセス技術（ＲＡＴ）と無線アクセスネットワーク（ＲＡＮ）とを使用し得る。
【００１６】
[0023]ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、ｆｌａｓｈ−ＯＦＤＭなどの無線技術を実装し得る。ＵＴＲＡ、Ｅ−ＵＴＲＡ、およびＧＳＭは、ユニバーサルモバイルテレコミュニケーションシステム（ＵＭＴＳ）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体から提供されている文書に記載されており、ｃｄｍａ２０００は、「第３世代パートナーシッププロジェクト２」（３ＧＰＰ２）と称する団体からの文書に記載されている。これらの様々な無線技術および規格は知られているかまたは開発されている。たとえば、第３世代パートナーシッププロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイルテレコミュニケーションズシステム（ＵＭＴＳ）モバイルフォン規格を改善することを目的とした３ＧＰＰプロジェクトである。３ＧＰＰは、次世代のモバイルネットワーク、モバイルシステム、およびモバイルデバイスのための仕様を定義し得る。明快のために、装置および技法のいくつかの態様は、以下ではＬＴＥ実装形態に関してまたはＬＴＥ中心の方法で説明されることがあり、以下の説明の部分ではＬＴＥ用語が例示的な例として使用されることがあるが、その説明は、ＬＴＥ適用例に限定されるものではない。実際、本開示は、異なる無線アクセス技術または無線エアインターフェースを使用した、ネットワーク間のワイヤレススペクトルへの共有アクセスに関係する。したがって、本明細書で説明するシステム、装置および方法は他の通信システムおよび適用例に適用され得ることが当業者には明らかであり得る。
【００１７】
[0024]システム設計は、ビームフォーミングおよび他の機能を可能にするためにダウンリンクおよびアップリンクのための様々な時間周波数基準信号をサポートし得る。基準信号は、知られているデータに基づいて生成される信号であり、パイロット、プリアンブル、トレーニング信号、サウンディング信号などと呼ばれることもある。基準信号は、チャネル推定、コヒーレント復調、チャネル品質測定、信号強度測定など、様々な目的のために受信機によって使用され得る。複数のアンテナを使用するＭＩＭＯシステムは、概して、アンテナ間での基準信号の送信の協調を行うが、ＬＴＥシステムは、概して、複数の基地局またはｅＮＢからの基準信号の送信の協調を行わない。
【００１８】
[0025]いくつかの実装形態では、システムは時分割複信（ＴＤＤ）を利用し得る。ＴＤＤでは、ダウンリンクおよびアップリンクは同じ周波数スペクトルまたはチャネルを共有し、ダウンリンク送信およびアップリンク送信は同じ周波数スペクトル上で送られる。したがって、ダウンリンクチャネル応答はアップリンクチャネル応答と相関し得る。相反性により、アップリンクを介して送られた送信に基づいてダウンリンクチャネルを推定することが可能になり得る。これらのアップリンク送信は、（復調後に基準シンボルとして使用され得る）基準信号またはアップリンク制御チャネルであり得る。アップリンク送信は、複数のアンテナを介した空間選択チャネルの推定を可能にし得る。
【００１９】
[0026]ＬＴＥ実装形態では、ダウンリンクに関して、すなわち、基地局、アクセスポイントまたはｅノードＢ（ｅＮＢ）からユーザ端末またはＵＥへ、直交周波数分割多重（ＯＦＤＭ）が使用される。ＯＦＤＭの使用は、スペクトルフレキシビリティについてのＬＴＥ要件を満たし、高いピークレートで極めて広いキャリアのためのコスト効率の高いソリューションを可能にし、定着した技術である。たとえば、ＯＦＤＭは、ＩＥＥＥ８０２．１１ａ／ｇ、８０２．１６、欧州通信規格協会（ＥＴＳＩ）によって規格化されたＨｉｇｈ  Ｐｅｒｆｏｒｍａｎｃｅ  Ｒａｄｉｏ  ＬＡＮ−２（ＨＩＰＥＲＬＡＮ−２、ここにおいてＬＡＮはローカルエリアネットワークを表す）、ＥＴＳＩの合同技術委員会によって公開されたデジタルビデオブロードキャスティング（ＤＶＢ）などの規格、および他の規格において使用される。
【００２０】
[0027]時間周波数物理リソースブロック（ここではリソースブロック、または簡潔のために「ＲＢ」としても示される）は、ＯＦＤＭシステムにおいて、トランスポートデータに割り当てられたトランスポートキャリア（たとえば、サブキャリア）または間隔のグループとして定義され得る。ＲＢは、時間および周波数期間にわたって定義される。リソースブロックは、スロットにおける時間および周波数のインデックスによって定義され得る時間周波数リソース要素（ここではリソース要素、または簡潔のために「ＲＥ」としても示される）から構成される。ＬＴＥ  ＲＢおよびＲＥのさらなる詳細は、たとえば、３ＧＰＰ  ＴＳ３６．２１１などの３ＧＰＰ仕様に記載されている。
【００２１】
[0028]ＵＭＴＳ  ＬＴＥは、２０ＭＨｚから１．４ＭＨＺまでのスケーラブルなキャリア帯域幅をサポートする。ＬＴＥでは、ＲＢは、サブキャリア帯域幅が１５ｋＨｚであるときは１２個のサブキャリアとして定義され、またはサブキャリア帯域幅が７．５ｋＨｚであるときは２４個のサブキャリアとして定義される。例示的な実装形態では、時間領域において、１０ｍｓ長であり、それぞれ１ミリ秒（ｍｓ）の１０個のサブフレームからなる、定義された無線フレームがある。あらゆるサブフレームは、各スロットが０．５ｍｓである２つのスロットからなる。この場合、周波数領域におけるサブキャリア間隔は１５ｋＨｚである。（スロットごとに）これらのサブキャリアのうち１２個を合わせると、ＲＢが構成され、したがって、この実装形態では、１つのリソースブロックは１８０ｋＨｚである。６つのリソースブロックは１．４ＭＨｚのキャリアに適合し、１００個のリソースブロックは２０ＭＨｚのキャリアに適合する。
【００２２】
[0029]本開示の様々な他の態様および特徴について以下でさらに説明する。本明細書の教示は多種多様な形態で実施され得、本明細書で開示する特定の構造、機能、またはその両方は代表的なものにすぎず、限定するものではないことは明らかであろう。本明細書の教示に基づいて、当業者は、本明細書で開示する態様は他の態様から独立して実装され得ること、およびこれらの態様のうちの２つまたはそれ以上は様々な方法で組み合わせられ得ることを十分理解するべきである。たとえば、本明細書に記載する態様をいくつ使用しても、装置は実装され得、または方法は実施され得る。さらに、本明細書に記載する態様のうちの１つまたは複数に加えて、あるいはそれら以外の他の構造、機能、または構造および機能を使用して、そのような装置が実装され得るか、またはそのような方法が実施され得る。たとえば、方法は、システム、デバイス、装置の一部として実装され、および／あるいはプロセッサまたはコンピュータ上での実行のためにコンピュータ可読媒体に記憶された命令として実装され得る。さらに、１つの態様は、１つの請求項の少なくとも１つの要素を備え得る。
【００２３】
[0030]図１は、後でさらに説明する態様が実装され得る、認可共有アクセス（ＡＳＡ：Authorized Shared Access）を用いたＬＴＥシステムであり得る、多元接続ワイヤレス通信システムの一実装形態の詳細を示す。発展型ノードＢ（ｅＮＢ）１００（基地局、アクセスポイントまたはＡＰとしても知られる）は、複数のアンテナグループ、すなわち、１０４と１０６とを含むアンテナグループ、１０８と１１０とを含む別のアンテナグループ、および１１２と１１４とを含むさらなるアンテナグループを含み得る。図１では、アンテナグループごとに２つのアンテナのみが示されるが、アンテナグループごとにより多いまたはより少ないアンテナが利用され得る。ユーザ機器（ＵＥ）１１６（ユーザ端末、アクセス端末、またはＡＴとしても知られる）は、アンテナ１１２および１１４と通信しており、アンテナ１１２および１１４は、順方向リンク（ダウンリンクとしても知られる）１２０を介してＵＥ／アクセス端末１１６に情報を送信し、逆方向リンク（アップリンクとしても知られる）１１８を介してＵＥ１１６から情報を受信する。第２のＵＥ１２２は、アンテナ１０４および１０６と通信していることがあり、アンテナ１０４および１０６は、順方向リンク１２６を介してＵＥ１２２に情報を送信し、逆方向リンク１２４を介してアクセス端末１２２から情報を受信する。
【００２４】
[0031]周波数分割複信（ＦＤＤ）システムでは、通信リンク１１８、１２０、１２４および１２６は、通信のために異なる周波数を使用し得る。たとえば、順方向リンク１２０は、逆方向リンク１１８によって使用されるものとは異なる周波数を使用し得る。時分割複信（ＴＤＤ）システムでは、ダウンリンクおよびアップリンクは共有され得る。
【００２５】
[0032]アンテナの各グループ、および／またはアンテナが通信するように設計されたエリアは、ｅＮＢのセクタと呼ばれることもある。すなわち、各アンテナグループは、ｅＮＢ１００によってカバーされるエリアのセクタ中のＵＥと通信するように設計される。順方向リンク１２０および１２６を介した通信では、ｅＮＢ１００の送信アンテナは、異なるアクセス端末１１６および１２２について順方向リンクの信号対雑音比を改善するためにビームフォーミングを利用する。また、カバレージ中にランダムに分散されたＵＥに送信するためにビームフォーミングを使用するｅＮＢは、単一のアンテナを介してすべてのＵＥに送信するｅＮＢよりも、隣接セル中のＵＥへの小さい干渉を生じさせる。ｅＮＢは、ＵＥとの通信のために使用される固定局であり得、アクセスポイント、ノードＢ、または何らかの他の等価な用語で呼ばれることもある。ＵＥは、アクセス端末、ＡＴ、ユーザ機器、ワイヤレス通信デバイス、端末、または何らかの他の等価な用語で呼ばれることもある。ＵＥ１１６および１２２などのＵＥは、たとえば、ＧＥＲＡＮおよび／またはＵＴＲＡＮネットワークなどの他の通信ネットワーク（図示せず）の他のノードとともに動作するようにさらに構成され得る。その上、ｅＮＢ１００などの基地局は、リダイレクションコマンドの使用によってなど、他のネットワークの基地局への被サービスＵＥのハンドオーバを可能にするように構成され得る。
【００２６】
[0033]図２は、後で説明するような態様が実装され得る、ＡＳＡを用いたＬＴＥシステムなどの多元接続ワイヤレス通信システム２００の一実装形態の詳細を示す。多元接続ワイヤレス通信システム２００は、セル２０２、２０４、および２０６を含む複数のセルを含む。一態様では、セル２０２、２０４、および２０６は、複数のセクタを含むｅＮＢを含み得る。複数のセクタはアンテナのグループによって形成され得、各アンテナは、セルの一部分におけるＵＥとの通信を担当する。たとえば、セル２０２において、アンテナグループ２１２、２１４、および２１６は各々異なるセクタに対応し得る。セル２０４において、アンテナグループ２１８、２２０、および２２２は各々異なるセクタに対応する。セル２０６において、アンテナグループ２２４、２２６、および２２８は各々異なるセクタに対応する。セル２０２、２０４、および２０６は、各セル２０２、２０４、または２０６の１つまたは複数のセクタと通信中であり得るいくつかのワイヤレス通信デバイス、たとえば、ユーザ機器またはＵＥを含むことができる。たとえば、ＵＥ２３０および２３２はｅＮＢ２４２と通信していることがあり、ＵＥ２３４および２３６はｅＮＢ２４４と通信していることがあり、ＵＥ２３８および２４０はｅＮＢ２４６と通信していることがある。セルおよび関連する基地局はシステムコントローラ２５０に結合され得、システムコントローラ２５０は、マルチモード協調および動作、ならびに本明細書で説明する他の態様に関係する、本明細書でさらに説明する機能を実行するために使用され得るような、たとえば、ＭＭＥおよびＳＧＷを含む、コアまたはバックホールネットワークの一部であり得るか、あるいはコアまたはバックホールネットワークへの接続性を与え得る。
【００２７】
[0034]オペレータのシステムは、異なるＲＡＴを使用する、（たとえば、図２および図３に示されるＬＴＥネットワーク構成に加えて）複数のタイプであり得る複数のネットワークを含み得る。たとえば、あるタイプは、データ中心であるＬＴＥシステムであり得る。別のタイプは、Ｗ−ＣＤＭＡシステムなどのＵＴＲＡＮシステムであり得る。さらに別のタイプは、場合によっては二重転送モード（ＤＴＭ）対応であり得るＧＥＲＡＮシステム（本明細書ではＤＴＭ  ＧＥＲＡＮとしても示される）であり得る。いくつかのＧＥＲＡＮネットワークは非ＤＴＭ対応であり得る。ＵＥなどのマルチモードユーザ端末は、これらならびに他のネットワーク（たとえば、ＷｉＦｉ（登録商標）またはＷｉＭａｘ（登録商標）ネットワークなど）などの複数のネットワークにおいて動作するように構成され得る。
【００２８】
認可共有アクセス
[0035]認可共有アクセス（ＡＳＡ）は、商業サービスを提供するために、（１つまたは複数の）インカンベント（incumbent）システム（本明細書では１次ライセンシーと呼ばれることがある）によって使用されないスペクトルの部分が（１つまたは複数の）２次ライセンシーに対して認可される（licensed）スペクトル管理方式である。そのような構成は、それが参加者にとって経済的に有益であるときに起こり得る。本明細書では、ＡＳＡを実装するためのアーキテクチャについて説明し、ＡＳＡ技術の一実装形態を示すが、その技術を図示の実施形態に限定するものではない。
【００２９】
[0036]本開示では以下の用語が使用される。
ＡＳＡ−１・・・１次ライセンシーとＡＳＡコントローラとの間のインターフェース
ＡＳＡ−２・・・ＡＳＡコントローラとＡＳＡネットワーク管理システムとの間のインターフェース
ＡＳＡ−３・・・ＡＳＡネットワークマネージャとＡＳＡネットワーク要素との間のインターフェース
ＡＳＡコントローラ・・・どのＡＳＡスペクトルがＡＳＡネットワークによる使用のために利用可能であるかに関する情報をインカンベントネットワークコントローラから受信し、どのＡＳＡスペクトルが利用可能であるかをＡＳＡネットワークマネージャに通知するためにＡＳＡネットワークマネージャに制御情報を送るエンティティ
ＡＳＡネットワークマネージャ・・・限定されないがＡＳＡスペクトル中で動作するデバイスを含む、そのネットワークを制御および管理するＡＳＡネットワークオペレータによって操作されるエンティティ
２次ＡＳＡライセンシー・・・ＡＳＡスペクトルを使用するためのＡＳＡライセンスを取得したワイヤレスネットワークオペレータ
認可共有アクセス・・・１次ライセンシーによって使用されないスペクトルの部分をＡＳＡオペレータが利用するスペクトルライセンシング（spectrum licensing）のタイプ
ＡＳＡスペクトル・・・１次ライセンシーによって十分に利用されず、ＡＳＡオペレータによる使用のために認可されたスペクトル。ＡＳＡスペクトル利用可能性は、ロケーション、周波数、および時間によって指定される。
排除ゾーン・・・インカンベントシステムを保護するように、ＡＳＡネットワークが動作することを許可されない地理的領域。
１次ＡＳＡライセンシー・・・常にすべてのロケーションにおいて周波数帯域を利用し続けるが、周波数帯域全体を使用するとは限らない、周波数の帯域のための１次ライセンシー。
保護ゾーン・・・１次ネットワークを保護するために、２次ＡＳＡ動作からの干渉がしきい値を下回ることが要求される地理的領域。
インカンベントネットワークコントローラ・・・ＡＳＡスペクトル中で動作するそれのネットワークを制御および管理する１次ライセンシーによって操作されるエンティティ
地理的共有・・・ＡＳＡネットワークが長い時間期間にわたって地理的領域全体で動作することができるＡＳＡ共有モデル。ネットワークは、排除ゾーンによって指定された領域中で動作することを許可されない。
【００３０】
ＡＳＡアーキテクチャ
[0037]このセクションは、ＡＳＡアーキテクチャにおける様々なエンティティについて説明する。一態様では、ＡＳＡアーキテクチャ３００は、図３に示されるように、単一のインカンベントシステムのインカンベントネットワークコントローラ３１２と単一のＡＳＡネットワークのＡＳＡネットワークマネージャ３１４とに結合されたＡＳＡコントローラ３０２を含み得る。インカンベントシステムは１次ＡＳＡライセンシーであり得、ＡＳＡネットワークは２次ＡＳＡライセンシーであり得る。
【００３１】
[0038]インカンベントネットワークコントローラ３１２は、指定された時間およびロケーションにおいてＡＳＡスペクトルがインカンベントシステムによってどのように使用されるかを認識する。インカンベントネットワークコントローラ３１２は、ＡＳＡスペクトルのインカンベント使用に関する情報をＡＳＡコントローラ３０２に与える。この情報をＡＳＡコントローラ３０２に与えるために、インカンベントネットワークコントローラ３１２が使用することができるいくつかの方法がある。たとえば、インカンベントネットワークコントローラ３１２は、排除時間とともに排除ゾーンのセットを指定し得る。別のオプションは、インカンベントネットワークコントローラ３１２がロケーションのセットにおいて最大許容干渉を指定することである。インカンベントネットワークコントローラ３１２は、このインカンベント保護情報をＡＳＡ−１インターフェース３１６を介してＡＳＡコントローラ３０２に送るが、その態様について以下でより詳細に説明する。インカンベント保護情報は、ＡＳＡコントローラ３０２によってデータベース３０６に記憶され得る。
【００３２】
[0039]ＡＳＡコントローラ３０２は、どのＡＳＡスペクトルがＡＳＡネットワークによって使用されることができるかを決定するために、インカンベントネットワークコントローラ３１２からの情報を使用する。任意のロケーションについて任意の時間にどのＡＳＡスペクトルが使用され得るかを決定するためにＡＳＡコントローラ３０２によって使用される方法は、ＡＳＡプロセッサ３０４によってアクセスされるルールデータベース３０８において指定される。ルールデータベース３０８は、ローカル規制によって設定される規制ルールを記憶する。これらのルールは、ＡＳＡ−１インターフェースまたはＡＳＡ−２インターフェースのいずれかを通して変更されないことがあり、ＡＳＡコントローラ３０２を管理する個人または団体によって更新されることがある。ルールデータベース３０８中のルールによって計算されるような、どのＡＳＡスペクトルが利用可能であるかは、ＡＳＡスペクトル利用可能性データベース３１０に記憶され得る。
【００３３】
[0040]ＡＳＡコントローラ３０２は、スペクトル利用可能性データベースに基づいて、どのＡＳＡスペクトルが利用可能であるかに関する情報をＡＳＡ−２インターフェース３１８を介してＡＳＡネットワークマネージャ３１４に送り得る。ＡＳＡネットワークマネージャ３１４は、それの制御下の基地局の地理的ロケーション、また、送信電力、サポートされる動作周波数などを含むこれらの基地局の送信特性に関する情報を知るかまたは決定し得る。ＡＳＡネットワークマネージャ３１４は、所与のロケーションまたは地理的領域においてどのＡＳＡスペクトルが利用可能であるかを発見するために、ＡＳＡコントローラ３０２に照会し得る。また、ＡＳＡコントローラ３０２は、ＡＳＡスペクトル利用可能性に対する任意の更新をリアルタイムでＡＳＡネットワークマネージャ３１４に通知し得る。これは、ＡＳＡスペクトルがもはや利用可能でない場合、ＡＳＡネットワークがそのスペクトルを使用することを中止することができるように、ＡＳＡコントローラ３０２がＡＳＡネットワークマネージャ３１４に通知することを可能にする。したがって、インカンベントネットワークコントローラ３１２は、リアルタイムでＡＳＡスペクトルへの排他的アクセスを取得することができる。
【００３４】
[0041]ＡＳＡネットワークマネージャ３１４は、コアネットワーク技術に応じて、標準ネットワーク要素に組み込まれ得る。たとえば、ＡＳＡネットワークがロングタームエボリューション（ＬＴＥ）ネットワークである場合、ＡＳＡネットワークマネージャは、オペレーション、アドミニストレーションおよびメンテナンス（ＯＡＭ）サーバに組み込まれ得る。インターフェースＡＳＡ−１およびＡＳＡ−２に関するさらなる情報は、以下の説明において見つけられ得る。
【００３５】
[0042]図３において、単一のインカンベントネットワークコントローラ３１２および単一のＡＳＡネットワークマネージャ３１４は、両方ともＡＳＡコントローラ３０２に接続された状態で示される。図４に示されるシステム４００の場合のように、複数のＡＳＡネットワーク（たとえば、ＡＳＡネットワークＡ、ＡＳＡネットワークＢおよびＡＳＡネットワークＣ）がＡＳＡコントローラ４０２に接続されることも可能である。ＡＳＡネットワークＡは、ＡＳＡコントローラ４０２に結合されたＡＳＡネットワークＡマネージャ４１４を含み、ＡＳＡネットワークＢは、ＡＳＡコントローラ４０２に結合されたＡＳＡネットワークＢマネージャ４２０を含み、ＡＳＡネットワークＣは、ＡＳＡコントローラ４０２に結合されたＡＳＡネットワークＣマネージャ４２２を含む。この場合、複数のＡＳＡネットワークは同じＡＳＡスペクトルを共有し得る。ＡＳＡスペクトルのこの共有が達成され得るいくつかの方法がある。１つの方法は、所与の領域中について、各ネットワークがＡＳＡスペクトル内のサブバンドに制限されることである。各ＡＳＡネットワークが各サブバンドに対する権利をどのように取得するかは本明細書の範囲外であり、スペクトルオークションプロセスにおいて対処されなければならない。ＡＳＡネットワークがＡＳＡスペクトルを共有するための別の方法は、緊密なタイミング同期を使用することと、異なるネットワークのチャネルアクセスをスケジュールすることを使用することと、である。一例として、このＡＳＡ共有手法がＬＴＥネットワークに関して研究されている。システム４００は、（図３中のデータベース３０８と同様の）データベース４０６にインカンベント保護情報を与えるために、ＡＳＡ−１インターフェース４１６を介してＡＳＡコントローラ４０２と通信するインカンベントシステムのインカンベントネットワークコントローラ４１２をさらに含み得る。ＡＳＡコントローラ４０２は、（図３中のルールデータベース３０８と同様の）ルールデータベース４０８と（図３中のＡＳＡスペクトル利用可能性データベース３１０と同様の）ＡＳＡスペクトル利用可能性データベース４１０とに結合されたプロセッサ４０４を含み得る。ＡＳＡコントローラ４０２は、ＡＳＡ−２インターフェース４１８を介してＡＳＡネットワークマネージャ４１４、４２０および４２２と通信し得る。インカンベントシステムは１次ライセンシーであり得、ＡＳＡネットワークＡ、Ｂ、Ｃは２次ライセンシーであり得る。
【００３６】
[0043]（１つまたは複数の）ＡＳＡネットワークマネージャは、所望のスペクトル使用制御を達成するために、ｅＮＢなど、様々なネットワーク要素と対話し得る。これは、無線アクセスネットワーク５１２中のｅＮＢ５１６、５１８と、ＯＡＭ５１０中に組み込まれたＡＳＡネットワークマネージャノードとの間のＡＳＡ−３インターフェースを含むシステム５００を示す図５に示されるように、ＡＳＡ−３インターフェースの使用によって可能にされ得る。無線アクセスネットワーク５１２は、コアネットワーク５１４に結合され得る。ＡＳＡコントローラ５０２は、ＡＳＡ−２インターフェース５０８を介してＯＡＭ５１０と、ＡＳＡ−１インターフェース５０６を介して１次ユーザ（ライセンシー）ノード（たとえば、インカンベントネットワークコントローラ）５０４と、に結合され得る。
【００３７】
[0044]ＡＳＡコントローラ５０２は、同じＡＳＡスペクトルのために複数のインカンベントネットワークコントローラ５０４を有することも可能である。理想的には、単一のインカンベントネットワークコントローラは、所与のＡＳＡ周波数帯域のためのインカンベント保護に関する完全な情報を与えることができる。その理由で、アーキテクチャは、単一のインカンベントネットワークコントローラに限定され得る。複数のインカンベントネットワークコントローラがサポートされ得るが、単一のインカンベントネットワークコントローラに制限することがより簡単で、よりセキュアであり得ることに留意されたい。
【００３８】
[0045]図３から図５の上述の要素は、ＡＳＡアーキテクチャに限定されない。そうではなく、図３から図５の要素は、マルチティア（multi-tiered）共有アクセスシステムなど、他の共有アクセスシステムについても意図される。
【００３９】
マルチティア共有アクセス
[0046]上記で説明したように、認可共有アクセス（ＡＳＡ）は、国防組織など、インカンベントシステムまたはユーザのために指定された帯域への一時的アクセスを与える。一構成では、インカンベントユーザは、それの時間変動リソース使用を認可共有アクセスシステムに送信する。さらに、この構成では、認可共有アクセスコントローラは、共有時間変動リソース使用に基づいて、モバイルネットワークオペレータのためのリソース許可を決定する。すなわち、モバイルネットワークオペレータは、インカンベントユーザから入手可能なスペクトルリソースへのアクセスを許可される。インカンベントユーザによって利用可能にされるスペクトルリソースは、未使用スペクトルリソースとも呼ばれる。さらに、本開示では、スペクトルリソースはリソースと呼ばれることもある。
【００４０】
[0047]さらに、本開示では、スペクトルリソースは、所与の地理的エリアにおけるスペクトル使用を指すことがある。一例として、スペクトル帯域Ｆは、ゾーンＹ中で利用可能であり得る。本例では、帯域の一部分（Ｆ１）は、ゾーンＹのための特定の地理的エリア（Ｙ１）のために指定され得る。したがって、本例では、残りの帯域（Ｆ−Ｆ１）は、ゾーンＹのすべて中で利用可能であり得る。さらに、特定の地理的エリア（Ｙ１）のために指定される帯域の一部分（Ｆ１）は、特定の地理的エリア（Ｙ１）の外側でも利用可能であり得る。
【００４１】
[0048]場合によっては、スペクトル共有のためのグラニュラリティを増加させることが望ましいことがある。本開示の態様は、スペクトルリソースを共有する、３ティアシステムなどのマルチティアシステムに係わる。一構成では、スペクトルリソースは３．５ＧＨｚ帯域からのリソースであり得る。さらに、一構成では、３ティアシステムは、インカンベントシステムのために指定された第１のティアスペクトルと、緊急サービスなどの優先アクセスシステムのために指定された第２のティアスペクトルと、一般アクセスシステムのために指定された第３のティアスペクトルと、を含む。一般アクセスシステムは、無認可システムであり得る。さらに、本開示では、スペクトルティアはティアと呼ばれることもある。３つのティアについて説明するが、本開示は４つまたはそれ以上のティアをも意図される。その上、本開示の態様は、ティアのユーザについても意図され、ティア中で動作する特定のシステムに限定されない。
【００４２】
[0049]図６は、本開示の一態様による、マルチティアシステムを示すブロック図である。図６に示されるように、マルチティアシステムは、第１のティア、第２のティア、第３のティア、および第４のティアなど、複数のティアを有し得る。各ティアは、インカンベントシステム、一般アクセスシステム、および／または優先アクセスシステムなど、特定のシステムおよび／またはユーザのために指定され得る。一構成では、スペクトルコントローラが、上位レベルティアから未使用スペクトルを示す情報を受信し得る。スペクトルコントローラは、次いで、示された未使用スペクトルに基づいて、利用可能スペクトルを下位レベルティアに通知し得る。
【００４３】
[0050]たとえば、図６に示されるように、第１のティアシステムＡと第１のティアシステムＢとは、それらの未使用の第１のティアスペクトルの報告をスペクトルコントローラに与え得る。スペクトルコントローラは、第２のティアシステムＡおよび第２のティアシステムＢなど、第２のティアシステムに、利用可能な第１のティアスペクトルを通知し得る。スペクトルリソース、たとえば利用可能な第１のティアスペクトルの一部分を割り振ることの後に、第２のティアシステムは、未使用の第１のティアスペクトルをスペクトルコントローラに報告し得る。すなわち、第２のティアシステムは、第２のティアシステムによって使用されなかった第１のティアスペクトルの量を報告する。
【００４４】
[0051]第２のティアシステムが未使用の第１のティアスペクトルをスペクトルコントローラに報告した後、スペクトルコントローラは、第２のティアシステムと第１のティアシステムとによって使用されない第１のティアスペクトルの量に基づいて、利用可能な第１のティアスペクトルを、第３のティアシステムＡおよび第３のティアシステムＢなど、第３のティアシステムに通知し得る。さらに、未使用の第１のティアスペクトルを割り振ることの後に、第３のティアシステムは、未使用の第１のティアスペクトルをスペクトルコントローラに報告し得る。スペクトルコントローラは、次いで、第１のティアシステムと第２のティアシステムと第３のティアシステムとによって使用されなかった残りの第１のティアスペクトルを、第４のティアシステムＡなど、第４のティアシステムに通知し得る。
【００４５】
[0052]本開示の態様は、各ティアが別々に管理されるものとして説明するが、ティア内の複数のシステムは１つのエンティティによって管理され得、他のシステムは別のエンティティによって管理され得る。たとえば、固定境界が、各システムに割り振られたリソースのために指定され得る。追加または代替として、本開示の態様は、他の管理手法についても意図される。
【００４６】
[0053]図７は、本開示の一態様によるマルチティアスペクトル共有の図を示す。図７に示されるように、マルチティアシステムは、第１のティア、第２のティア、第３のティア、および第４のティアなど、複数のティアを有し得る。各ティアは、ティアに関連する１つまたは複数のシステムおよび／またはユーザのために指定され得る。一構成では、ティア間スペクトルコントローラ（図７に示されていない）は、上位レベルティアから未使用スペクトルを示す情報を受信し得る。ティア間スペクトルコントローラは、次いで、上位ティアの示された未使用スペクトルに基づいて、利用可能スペクトルを、下位レベルティアのシステムおよび／または下位レベルティアコントローラに通知し得る。代替または追加として、上位レベルティアスペクトルコントローラは、利用可能スペクトルを、下位レベルティアスペクトルコントローラに直接に通知し得る。特定のティアのためのスペクトルコントローラは、ティア内スペクトルコントローラとも呼ばれる。さらに、一構成では、特定のティアのためのティア内コントローラは、ティア内割振りを担当し得、ティア間スペクトルコントローラは、異なるティア間の未使用リソース情報を送信および受信し得る。また別の構成では、すべてのティアにわたるスペクトル共有を処理する全体的スペクトルコントローラが提供される。
【００４７】
[0054]たとえば、図７に示されるように、未使用の第１のティアスペクトルは、第１のティアスペクトルコントローラから第２のティアスペクトルコントローラに報告され得る。すなわち、本例では、未使用の第１のティアスペクトルに基づいて、第１のティアスペクトルコントローラは、利用可能な第１のティアスペクトルを、第２のティアスペクトルコントローラに通知し得る。すなわち、第２のティアのシステムは、未使用の第１のティアスペクトルを割り振られ得る。より具体的には、第２のティアのシステムは、未使用の第１のティアスペクトルに加えて、第２のティアのために前に割り振られたスペクトルを割り振られ得る。図７の例では、各ティアスペクトルコントローラは、それらのそれぞれのティアのシステムおよび／またはユーザに、利用可能なスペクトルリソースを通信し得る。さらに、各ティアスペクトルコントローラは、ティアのシステムおよび／またはユーザの使用ニーズを受信し得る。
【００４８】
[0055]さらに、未使用の第１のティアスペクトルを割り振った後に、第２のティアのシステムは、第２のティアスペクトルコントローラが、第２のティアシステムと第１のティアシステムとによって使用されなかった第１のティアスペクトルの量に基づいて、利用可能な第１のティアスペクトルを第３のティアスペクトルコントローラに通知し得るように、残りの未使用の第１のティアスペクトルを、第２のティアスペクトルコントローラに報告し得る。第３のティアのシステムＡおよびＢなどのティアのシステムは、要望通りに、割り振られた第１のティアスペクトルを使用し得る。
【００４９】
[0056]代替的に、または追加として、各ティアは、同じティアにおけるシステム間の競合および／または優先度を扱い得る。たとえば、第３のティアスペクトルコントローラは、第３のティアシステムＡと第３のティアシステムＢとの間の競合および／または優先度を扱い得る。すなわち、静的境界などの境界は、管理方式または他の割振り方式に基づいて、ティアにおける各システムにリソースを割り振るために指定され得る。代替的に、たとえば需要、通信ニーズまたはいくつかの他の基準に基づいて、リソースがティアシステムの間で動的に割り振られるように、ティア管理方式は動的割振りであり得る。
【００５０】
[0057]さらに、未使用の第１のティアスペクトルを割り振った後に、第３のティアのシステムは、残りの未使用の第１のティアスペクトルを第３のティアスペクトルコントローラに報告し得る。第３のティアスペクトルコントローラは、第３のティアシステムと第２のティアシステムと第１のティアシステムとによって使用されなかった第１のティアスペクトルの量に基づいて、利用可能スペクトルを第４のティアスペクトルコントローラに通知し得る。
【００５１】
[0058]本例は、４つのティアをもつシステムを示すが、本開示の態様は４つのティアに制限されず、３つまたはそれ以上のティアを有する任意のシステムについて意図される。
【００５２】
[0059]一構成では、第１のティアは、第１のティアに対応するシステムが完全なプリエンプションを有するような、インカンベントティアである。すなわち、第１のティアシステムは、情報をスペクトルコントローラに要求することなしに、割り当てられたスペクトルのうちのいずれかを使用し得る。さらに、第１のティアシステムは、スペクトルのそれらの使用をスペクトルコントローラに告知するように指定される。スペクトルコントローラは、ＡＳＡシステム、ＡＳＡネットワーク、またはネットワークと呼ばれることがある。
【００５３】
[0060]さらに、一構成では、第２のティアシステムは、第１のティアシステムによって未使用である利用可能なスペクトルリソースを通知される。さらに、第２のティアシステムは、第２のティアシステムによって未使用である利用可能な第２のティアリソースについての情報を、スペクトルコントローラに与える。利用可能な第２のティアリソースは、利用可能な第１のティアリソースよりも少ないかまたはそれに等しい。利用可能な第２のティアリソースは、第１のティアによって未使用であるものとして指定された、第２のティアによって未使用のままである第１のティアリソースを指す。
【００５４】
[0061]さらに、本構成では、スペクトルコントローラは、第１のティアシステムおよび第２のティアシステムの未使用スペクトルをアグリゲートし、得られた利用可能なスペクトルリソースを第３のティアシステムに通知する。第３のティアシステムは、使用すべきスペクトルの量を決定し、利用可能な第３のティアリソースに関する情報をスペクトルコントローラに与える。利用可能な第３のティアリソースは、第１のティアシステムによって未使用であり、第２のティアシステムによって未使用であり、第３のティアシステムによって未使用であるものとして指定された利用可能な第１のティアリソースを指す。利用可能な第３のティアリソースは、利用可能な第２のティアリソースよりも少ないかまたはそれに等しい。本出願では、第１のティアはティア１と呼ばれることがあり、第２のティアはティア２と呼ばれることがあり、第３のティアはティア３と呼ばれることがあり、第４のティアはティア４と呼ばれることがある。
【００５５】
[0062]ティアの数にかかわらず、特定のティアは、アグリゲートされた上位ティアが単一のリソースユーザと見なされるように、複数の上位ティアをアグリゲートし得る。したがって、ティア間のシグナリングは、ＡＳＡネットワークのために指定されたシグナリングと同様であり得る。一構成では、マルチティアネットワークのシグナリングは、残りのリソースを指定し、スペクトルリソースを使用しているシステムを指定しないことがある。
【００５６】
[0063]前に説明したように、ティアＮがスペクトルの一部分を放棄するとき、追加のリソースがティアＮ＋１に伝搬される。ティアＮ＋１は、追加のリソースを使用すべきかどうかに関する第１の選択権を有し得る。ティアＮからティアＮ＋１に指定された未使用リソースは、他のティア（Ｎ＋２、Ｎ＋３など．．．）へと下にカスケードする。さらに、ティアＮ＋１は、ティアＮ＋１によって未使用と前に指定された利用可能スペクトル（ティアＮからの未使用スペクトル）を使用し得る。このシナリオでは、未使用のティアＮスペクトルに関する情報は、下位ティア（Ｎ＋２、Ｎ＋３など．．．）に対して動的に更新される。すなわち、上位ティアはサービスを改善することが可能であり得、下位ティアは日和見的サービスを有し得る。より詳細には、下位ティアに割り振られるリソースは、上位ティアによって使用されるリソースに基づいて、動的に変更され得る。たとえば、上位ティアシステムのリソース使用が変更されるとき、スペクトルコントローラは、下位ティアシステムに割り振られるリソースの数を更新し得る。リソースの更新は、割り振られるリソースの数を増加または減少させることを含み得る。
【００５７】
[0064]さらに、各ティア内では、異なるシステム間のリソースの共有は、他のティアに依存しない。たとえば、ティアは、所与のシェアのリソースが上位ティアから入手可能であるとき、システムがそれらのリソースの独占的使用について認可を与えられるように、ＡＳＡ認可原理を用いて動作し得る。すなわち、特定のティアのシステム間のリソースの競合がないことがある。代替的に、ティアは、ティアにおけるシステムのいずれも利用可能スペクトルにアクセスし得る、無認可ポリシーを用いて動作することができる。
【００５８】
[0065]前に説明したように、一構成では、特定のティアのシステムのためのスペクトルの使用は、上位ティアのスペクトル使用を顧慮および認識して指定される。一例として、様々なティアが、それらの所与のスペクトル使用をスペクトルコントローラに報告するように指定され得る。この例では、無認可システムは、利用可能スペクトルを認識するようにされており、無認可システムは、使用されるスペクトルに関する情報を収集するかまたはさもなければ利用可能スペクトルの一部を予約する。さらに、無認可システムは、未使用スペクトルなど、利用可能スペクトルに関する情報をスペクトルコントローラに与え得る。この例では、無認可システムは、競合に基づく無認可システムであり得る。
【００５９】
[0066]本開示の態様は、異なる構成を与え、予約のレベルを与えるように適応され得る。たとえば、あるスペクトルは、それが予約済みスペクトルリソース（reserved spectrum resources）を含むので、ティアＮに保証され得る。予約は、上位ティアなど、他のティアからスペクトルおよび／またはティアを隠すことを指すことがある。予約は、ティア１への擬似割当てによって指定され得る。さらに、スペクトルの部分が、あるレベルを下回るティアから隠され得る。スペクトルの全部または一部が上位ティアのために指定されるとき、スペクトルはレイテンシを減少させるために隠され得る。要求されたスペクトルがスペクトルコントローラによってクリアされないので、レイテンシは減少させられ得る。隠すことは、特定のリソースが未使用であるときでも、特定のリソースを含めるために、使用を過剰に宣言することによって指定され得る。
【００６０】
[0067]一構成では、特定のティアのシステムは、現在使用されていないティアのために利用可能であるリソースを、ティア内スペクトルコントローラおよび／またはティア間スペクトルコントローラに報告する。すなわち、スペクトルコントローラは、特定のティアにおいて動作するシステムから受信された報告に基づいて、特定のティアにおける未使用スペクトルリソースを決定し得る。代替的に、または追加として、特定のティアの未使用スペクトルリソースは、無線測定値に基づいて決定される。たとえば、利用可能なリソースは、利用可能なリソースにおけるシステムの無線送信を測定することによって、スペクトルコントローラによって決定され得る。さらに、スペクトルコントローラは、測定されたティアおよび／または他のティアにとってどのリソースが利用可能であるかを識別し得る。利用可能なリソースの識別は、各ティアのシステムのための特定の無線特性の事前知識によって改善され得る。
【００６１】
[0068]たとえば、異なる無線特性が、複数のティアの各ティアにおけるシステムに割り当てられ得る。さらに、ティアによって使用される特定のスペクトルリソースが、割り当てられた無線特性を使用している特定のスペクトルリソースの無線測定値に基づいて識別され得る。無線特性は、たとえば、無線アクセス技術（ＲＡＴ）、キャリア周波数、送信帯域幅、および／あるいはティアを識別する特定の波形またはシーケンスを含み得る。
【００６２】
[0069]図８は、マルチティアシステムにおいてリソースを管理するための方法８００を示す。ブロック８０２において、スペクトルコントローラは、１つまたは複数の第２のティアシステムによる使用のために利用可能な第２のスペクトルティアリソースを決定するために、第１のスペクトルティアから未使用の第１のスペクトルティアリソースのインジケーション（indication）を受信する。スペクトルコントローラはまた、ブロック８０４において、未使用の第２のティアスペクトルリソースに基づいて、１つまたは複数の第３のティアシステムによる使用のために利用可能な第３のティアスペクトルリソースを決定する。
【００６３】
[0070]図９は、スペクトル処理システム９１４を採用する装置９００のためのハードウェア実装形態の一例を示す図である。処理システム９１４は、バス９２４によって概略的に表されるバスアーキテクチャを用いて実装され得る。バス９２４は、スペクトル処理システム９１４の特定の適用例および全体的な設計制約に応じて、任意の数の相互接続バスおよびブリッジを含み得る。バス９２４は、プロセッサ９２２によって表される１つまたは複数のプロセッサおよび／またはハードウェアモジュールと、モジュール９０２、９０４と、コンピュータ可読媒体９２６と、を含む様々な回路を互いに接続する。バス９２４はまた、タイミングソース、周辺機器、電圧調整器、および電力管理回路など、様々な他の回路を接続し得るが、これらの回路は当技術分野においてよく知られており、したがって、これ以上説明しない。
【００６４】
[0071]本装置は、トランシーバ９３０に結合されたスペクトル処理システム９１４を含む。トランシーバ９３０は１つまたは複数のアンテナ９２０に結合される。トランシーバ９３０は、伝送媒体を介して様々な他の装置と通信することを可能にする。スペクトル処理システム９１４は、コンピュータ可読媒体９２６に結合されたプロセッサ９２２を含む。プロセッサ９２２は、コンピュータ可読媒体９２６に記憶されたソフトウェアの実行を含む一般的な処理を行う。ソフトウェアは、プロセッサ９２２によって実行されたとき、スペクトル処理システム９１４に、いずれかの特定の装置について説明する様々な機能を実行させる。コンピュータ可読媒体９２６はまた、ソフトウェアを実行するときにプロセッサ９２２によって操作されるデータを記憶するために使用され得る。
【００６５】
[0072]スペクトル処理システム９１４は、１つまたは複数の第２のティアシステムによる使用のために利用可能な第２のスペクトルティアリソースを決定するために、未使用の第１のスペクトルティアリソースのインジケーションを受信するための受信モジュール９０２を含む。スペクトル処理システム９１４は、未使用の第２のティアスペクトルリソースに基づいて、１つまたは複数の第３のティアシステムによる使用のために利用可能な第３のティアスペクトルリソースを決定するための決定モジュール９０４をさらに含む。これらのモジュールは、プロセッサ９２２中で動作し、コンピュータ可読媒体９２６中に常駐する／記憶されたソフトウェアモジュールであるか、プロセッサ９２２に結合された１つまたは複数のハードウェアモジュールであるか、またはそれらの何らかの組み合わせであり得る。スペクトル処理システム９１４は、ＵＥおよび／またはｅノードＢの構成要素であり得る。
【００６６】
[0073]一構成では、スペクトルコントローラまたはマルチティアスペクトル共有システムなどの装置は、受信するための手段を含む通信のために構成される。一態様では、受信手段は、受信手段によって具陳された機能を実行するように構成された、ＡＳＡコントローラ３０２／４０２／５０２、受信モジュール９０２、トランシーバ９３０、アンテナ９２０、および／またはＡＳＡ処理システム９１４であり得る。さらに、スペクトルコントローラまたはマルチティアスペクトル共有システムなどの装置は、決定するための手段を含む通信のためにも構成される。一態様では、決定手段は、決定手段によって具陳された機能を実行するように構成された、ＡＳＡコントローラ３０２／４０２／５０２、決定モジュール９０４、プロセッサ９２２、および／またはスペクトル処理システム９１４であり得る。別の態様では、上述の手段は、上述の手段によって具陳された機能を実行するように構成されたモジュールまたは任意の装置であり得る。
【００６７】
[0074]本開示の態様は、ワイヤレス通信に限定されないことに留意されたい。一構成では、ワイヤード通信システムが意図される。ワイヤード通信システムは、インターネットプロトコルなどのデータ通信をサポートし得る。スペクトルコントローラまたはマルチティアスペクトルシステムは、個々に各ティアシステムまたはユーザと通信し得、それらのスペクトル使用に関する情報をアグリゲートする。さらに、スペクトルコントローラまたはマルチティアスペクトルシステムは、ティアの各システムまたはユーザへの通信リンクをもつアグリゲータシステムと通信し得る。
【００６８】
[0075]開示するプロセスおよび方法中のステップまたは段階の特定の順序または階層は、例示的な手法の例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００６９】
[0076]情報および信号は多種多様な技術および技法のうちのいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組み合わせによって表され得る。
【００７０】
[0077]さらに、本明細書で開示する実施形態に関して説明した様々な例示的な論理ブロック、モジュール、回路、およびアルゴリズムステップは、電子ハードウェア、コンピュータソフトウェア、または両方の組み合わせとして実装され得ることを、当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【００７１】
[0078]本明細書で開示した実施形態に関連して説明した様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組み合わせを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、計算デバイスの組み合わせ、たとえば、ＤＳＰとマイクロプロセッサとの組み合わせ、複数のマイクロプロセッサ、ＤＳＰコアと連携する１つまたは複数のマイクロプロセッサ、あるいは任意の他のそのような構成として実装され得る。いくつかの実装形態では、プロセッサは、通信デバイスあるいは他のモバイルまたはポータブルデバイスにおいて機能を実装するために特別に設計された、通信プロセッサなどのプロセッサであり得る。
【００７２】
[0079]本明細書で開示した実施形態に関して説明した方法、プロセスまたはアルゴリズムのステップまたは段階は、直接ハードウェアで実施されるか、プロセッサによって実行されるソフトウェアモジュールで実施されるか、またはその２つの組み合わせで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の非一時的コンピュータ可読記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００７３】
[0080]以上の説明は、当業者が本明細書で説明した様々な態様を実施できるようにするために与えられた。これらの態様への様々な変更は当業者には容易に明らかであり、本明細書で定義した一般的原理は他の態様に適用され得る。したがって、特許請求の範囲は、本明細書で示された態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。項目のリスト「のうちの少なくとも１つ」を指す句は、個々のメンバーを含む、それらの項目の任意の組み合わせを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。本明細書で説明する、「および／または」という用語の使用は、「包含的ＯＲ」を表すものとし、「または」という用語の使用は、「排他的ＯＲ」を表すものとする。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
以下に本願の出願当初の特許請求の範囲に記載された発明を付記する。
［Ｃ１］
ワイヤレス通信のための方法であって、
少なくとも１つの第２のティアシステムによる使用のために利用可能な第２のティアスペクトルリソースを決定するために、未使用の第１のティアスペクトルリソースのインジケーションをスペクトルコントローラにおいて受信することと、
未使用の第２のティアスペクトルリソースに少なくとも部分的に基づいて、少なくとも１つの第３のティアシステムによる使用のために利用可能な第３のティアスペクトルリソースを前記スペクトルコントローラにおいて決定することと、
を備える方法。
［Ｃ２］
前記少なくとも１つの第３のティアシステムによる使用のために利用可能な前記第３のティアスペクトルリソースのインジケーションを第３のスペクトルティアコントローラに送信することをさらに備える、Ｃ１に記載の方法。
［Ｃ３］
第１のティアスペクトルは、インカンベントシステムのために指定され、
第２のティアスペクトルは、優先アクセスシステムのために指定され、
第３のティアスペクトルは、一般アクセスシステムのために指定される、Ｃ２に記載の方法。
［Ｃ４］
少なくとも第１のティアスペクトルリソース、前記第２のティアスペクトルリソース、またはこれらの組み合わせの変更された使用に対して利用可能な第３のティアスペクトルリソースの量を更新することをさらに備える、Ｃ２に記載の方法。
［Ｃ５］
第２のティアスペクトルは、第１のティアスペクトルから隠された予約済みスペクトルリソースを備える、Ｃ１に記載の方法。
［Ｃ６］
第２のティアスペクトルは、第３のティアスペクトルから隠された予約済みスペクトルリソースを備える、Ｃ１に記載の方法。
［Ｃ７］
前記少なくとも１つの第２のティアシステムによって使用される前記第２のティアスペクトルリソースを決定するために、前記少なくとも１つの第２のティアシステムからスペクトル情報を受信することをさらに備える、Ｃ１に記載の方法。
［Ｃ８］
スペクトル管理方式に少なくとも部分的に基づいて、前記少なくとも１つの第３のティアシステム、前記少なくとも１つの第２のティアシステム、少なくとも１つの第１のティアシステム、またはこれらの組み合わせのうちの少なくとも１つの間でスペクトルリソースを割り振ることをさらに備える、Ｃ１に記載の方法。
［Ｃ９］
スペクトルリソース割振りは、システム間のリソースの境界または動的割振りに少なくとも部分的に基づく、Ｃ８に記載の方法。
［Ｃ１０］
特定のティアにおける未使用スペクトルリソースは、前記特定のティア中で動作するシステムから受信された報告に少なくとも部分的に基づいて決定される、Ｃ１に記載の方法。
［Ｃ１１］
特定のティアの未使用スペクトルリソースは、無線測定値に少なくとも部分的に基づいて決定される、Ｃ１に記載の方法。
［Ｃ１２］
異なる無線特性が各ティア中のシステムに割り当てられ、前記特定のティアによって使用される特定のスペクトルリソースは、前記割り当てられた無線特性を使用している前記特定のスペクトルリソースの前記無線測定値に少なくとも部分的に基づいて識別される、Ｃ１１に記載の方法。
［Ｃ１３］
前記無線特性は、少なくとも、無線アクセス技術（ＲＡＴ）、キャリア周波数、送信帯域幅、前記特定のティアを識別する特定の波形またはシーケンス、あるいはこれらの組み合わせを備える、Ｃ１２に記載の方法。
［Ｃ１４］
ワイヤレス通信のための装置であって、
前記装置は、
メモリと、
前記メモリに結合された少なくとも１つのプロセッサと、
を備え、
前記少なくとも１つのプロセッサは、
少なくとも１つの第２のティアシステムによる使用のために利用可能な第２のティアスペクトルリソースを決定するために、未使用の第１のティアスペクトルリソースのインジケーションをスペクトルコントローラにおいて受信することと、
未使用の第２のティアスペクトルリソースに少なくとも部分的に基づいて、少なくとも１つの第３のティアシステムによる使用のために利用可能な第３のティアスペクトルリソースを前記スペクトルコントローラにおいて決定することと、
を行うように構成された、装置。
［Ｃ１５］
前記少なくとも１つのプロセッサは、前記少なくとも１つの第３のティアシステムによる使用のために利用可能な前記第３のティアスペクトルリソースのインジケーションを第３のスペクトルティアコントローラに送信するようにさらに構成された、Ｃ１４に記載の装置。
［Ｃ１６］
第１のティアスペクトルは、インカンベントシステムのために指定され、
第２のティアスペクトルは、優先アクセスシステムのために指定され、
第３のティアスペクトルは、一般アクセスシステムのために指定される、Ｃ１５に記載の装置。
［Ｃ１７］
前記少なくとも１つのプロセッサは、少なくとも第１のティアスペクトルリソース、前記第２のティアスペクトルリソース、またはこれらの組み合わせの変更された使用に対して利用可能な第３のティアスペクトルリソースの量を更新するようにさらに構成された、Ｃ１５に記載の装置。
［Ｃ１８］
第２のティアスペクトルは、第１のティアスペクトルから隠された予約済みスペクトルリソースを備える、Ｃ１４に記載の装置。
［Ｃ１９］
第２のティアスペクトルは、第３のティアスペクトルから隠された予約済みスペクトルリソースを備える、Ｃ１４に記載の装置。
［Ｃ２０］
前記少なくとも１つのプロセッサは、前記少なくとも１つの第２のティアシステムによって使用される前記第２のティアスペクトルリソースを決定するために、少なくとも１つの第２のティアシステムからスペクトル情報を受信するようにさらに構成された、Ｃ１４に記載の装置。
［Ｃ２１］
前記少なくとも１つのプロセッサは、スペクトル管理方式に少なくとも部分的に基づいて、前記少なくとも１つの第３のティアシステム、前記少なくとも１つの第２のティアシステム、少なくとも１つの第１のティアシステム、またはこれらの組み合わせのうちの少なくとも１つの間でスペクトルリソースを割り振るようにさらに構成された、Ｃ１４に記載の装置。
［Ｃ２２］
スペクトルリソース割振りは、システム間のリソースの境界または動的割振りに少なくとも部分的に基づく、Ｃ２１に記載の装置。
［Ｃ２３］
特定のティアにおける未使用スペクトルリソースは、前記特定のティア中で動作するシステムから受信された報告に少なくとも部分的に基づいて決定される、Ｃ１４に記載の装置。
［Ｃ２４］
特定のティアの未使用スペクトルリソースは、無線測定値に少なくとも部分的に基づいて決定される、Ｃ１４に記載の装置。
［Ｃ２５］
異なる無線特性が各ティア中のシステムに割り当てられ、前記特定のティアによって使用される特定のスペクトルリソースは、前記割り当てられた無線特性を使用している前記特定のスペクトルリソースの前記無線測定値に少なくとも部分的に基づいて識別される、Ｃ２４に記載の装置。
［Ｃ２６］
前記無線特性は、少なくとも、無線アクセス技術（ＲＡＴ）、キャリア周波数、送信帯域幅、前記特定のティアを識別する特定の波形またはシーケンス、あるいはこれらの組み合わせを備える、Ｃ２５に記載の装置。
［Ｃ２７］
ワイヤレス通信のための装置であって、
少なくとも１つの第２のティアシステムによる使用のために利用可能な第２のティアスペクトルリソースを決定するために、未使用の第１のティアスペクトルリソースのインジケーションをスペクトルコントローラにおいて受信するための手段と、
未使用の第２のティアスペクトルリソースに少なくとも部分的に基づいて、少なくとも１つの第３のティアシステムによる使用のために利用可能な第３のティアスペクトルリソースを前記スペクトルコントローラにおいて決定するための手段と、
を備える装置。
［Ｃ２８］
ワイヤレス通信のためのコンピュータプログラム製品であって、
前記コンピュータプログラム製品は、プログラムコードを記録した非一時的コンピュータ可読媒体を備え、
前記プログラムコードは、プロセッサによって実行され、
少なくとも１つの第２のティアシステムによる使用のために利用可能な第２のティアスペクトルリソースを決定するために、未使用の第１のティアスペクトルリソースのインジケーションをスペクトルコントローラにおいて受信するためのプログラムコードと、
未使用の第２のティアスペクトルリソースに少なくとも部分的に基づいて、少なくとも１つの第３のティアシステムによる使用のために利用可能な第３のティアスペクトルリソースを前記スペクトルコントローラにおいて決定するためのプログラムコードと、
を備える、コンピュータプログラム製品。
【図１】
0006585065.tif 000002
【図２】
0006585065.tif 000003
【図３】
0006585065.tif 000004
【図４】
0006585065.tif 000005
【図５】
0006585065.tif 000006
【図６】
0006585065.tif 000007
【図７】
0006585065.tif 000008
【図８】
0006585065.tif 000009
【図９】
0006585065.tif 000010